(57)【要約】      （修正有）【課題】装着状態の第１、第２コネクタのロックを容易に解除する。【解決手段】接続構造はＺ−Ｚ’方向に着脱可能な第１コネクタＣａおよび第２コネクタＣｂを備えている。第１コネクタＣａの係合アーム１１０ａは、Ｚ−Ｚ’方向に延び、Ｘ−Ｘ’方向に弾性変形可能であり、且つ第１面１１１ａとそのＹ方向側の第１ガイド面１１２ａを有している。第２コネクタＣｂの第２ボディ１００ｂの外周面１１０ｂは、Ｚ−Ｚ’方向に延び、且つ第１面１１１ａが接触または対向可能な第２面１１１ｂとそのＹ方向側の第２ガイド面とを有している。第１ガイド面１１２ａおよび第２ガイド面は、挿入空間を有して互いに対向した状態でＹ’方向からＹ方向へ互いに離れるように延びている。第２係合部１２０ｂは係合アーム１１０ａの第１係合部１２０ａに係合可能となるように外周面１１０ｂに設けられている。【選択図】図１Ｂ
2018081781.tif 000002
【特許請求の範囲】
【請求項１】
第１方向に着脱可能な第１コネクタおよび第２コネクタを備えており、
前記第１コネクタは、係合アームおよび第１係合部を備えており、
前記係合アームは、前記第１方向に延び、前記第１方向に直交する第２方向に弾性変形可能であり、且つ第１面と、前記第１面の第３方向の一方側の第１ガイド面とを有しており、前記第３方向は、前記第１方向に直交し且つ前記第２方向に交差しており、
前記第１係合部は、前記係合アームに設けられており且つ前記係合アームの弾性変形に伴って前記第２方向に変位可能であり、
前記第２コネクタは、第２ボディを備えており、
前記第２ボディは、外周面および第２係合部を有し、
前記外周面は、前記第１方向に延びており、且つ第２面と、前記第２面の前記第３方向の一方側の第２ガイド面とを有しており、
前記外周面の前記第２面は、前記係合アームの前記第１面が接触または対向可能であり、
前記第２ガイド面は、前記係合アームの前記第１ガイド面に対向可能であり、前記第１ガイド面および前記第２ガイド面は、互いに対向した状態で前記第３方向の他方から前記第３方向の一方へ互いに離れるように延び且つその間に挿入空間を区画しており、
前記第２係合部は、前記第１係合部に係合可能となるように前記第２ボディの前記外周面に設けられており、
前記第１ガイド面および前記第２ガイド面にガイドされ、前記第２ボディの前記外周面と前記係合アームとの間に解除用治具が挿入されると、前記係合アームが弾性変形して前記外周面から離反し、前記第１係合部と前記第２係合部との係合が解除されるコネクタの接続構造。
【請求項２】
請求項１記載のコネクタの接続構造において、
前記第１コネクタは、第１ボディを備えており、
前記第１ボディは、前記第２コネクタが前記第１方向に挿脱可能な筒部を有し、前記筒部は、前記係合アームおよび前記第１方向に延びたガイド溝を有しており、
前記第２コネクタの前記第２ボディは、ガイド突部およびガイド凹部をさらに有しており、
前記ガイド突部は、前記第２ボディの前記外周面上の前記第２ガイド面よりも前記第３方向の一方側の部分に設けられており且つ前記ガイド溝内に前記第１方向にガイドされ得るようになっており、
前記ガイド凹部は、前記解除用治具が前記挿入空間へガイド可能となるように、前記ガイド突部の前記第２ガイド面の前記第３方向の一方側の部分を前記第３方向に貫通しているコネクタの接続構造。
【請求項３】
請求項１記載のコネクタの接続構造において、
前記第２コネクタは、少なくとも二つのガイド突部と、ガイド凹部とをさらに備えており、
前記ガイド突部は、前記第１方向に延びており且つその間で前記係合アームを前記第１方向にガイド可能であり、前記ガイド突部は、前記係合アームの前記第３方向の一方側に位置可能な第１ガイド突部と、前記係合アームの前記第３方向の他方側に位置可能な第２ガイド突部とを含み、
前記ガイド凹部は、前記解除用治具が前記挿入空間へガイド可能となるように、前記第１ガイド突部の前記第２ガイド面の前記第３方向の一方側の部分を前記第３方向に貫通しているコネクタの接続構造。
【請求項４】
請求項１〜３の何れかに記載のコネクタの接続構造において、
前記第１方向の一方は、前記第１コネクタの前記第２コネクタに対する装着方向であり、前記第１方向の他方は、前記第１コネクタの前記第２コネクタに対する離脱方向であり、
前記第２コネクタは、前記第１係合部および前記第２係合部よりも前記第１方向の他方側で、前記第２ボディの前記外周面と前記係合アームとの間に挿入された前記解除用治具を保持可能な保持部をさらに備えているコネクタの接続構造。
【請求項５】
請求項２または３に記載のコネクタの接続構造において、
前記第１方向の一方は、前記第１コネクタの前記第２コネクタに対する装着方向であり、前記第１方向の他方は、前記第１コネクタの前記第２コネクタに対する離脱方向であり、
前記ガイド凹部は、前記第１係合部および前記第２係合部よりも前記第１方向の他方側に位置しており、前記ガイド凹部は、前記第１方向の一方側の第１面を有しており、
前記第２コネクタは、前記第１係合部および前記第２係合部よりも前記第１方向の他方側で、前記第２ボディの前記外周面と前記係合アームとの間に挿入された前記解除用治具を保持可能な保持部をさらに備えており、
前記保持部は、前記解除用治具に前記第１方向の一方側から当接可能な前記ガイド凹部の前記第１面と、
前記第２ボディに設けられており且つ前記解除用治具に前記第１方向の他方側から当接可能な当接部とを有しているコネクタの接続構造。
【請求項６】
請求項１〜５の何れかに記載のコネクタの接続構造において、
前記第１ボディおよび前記第２ボディの少なくとも一方は、ストッパをさらに備えており、
前記ストッパは、前記解除用治具に前記第３方向の他方側から当接し、当該解除用治具を前記係合アームと前記外周面との間に所定以上挿入されるのを防ぐコネクタの接続構造。
【請求項７】
請求項１〜６の何れかに記載のコネクタの接続構造において、
前記係合アームは、薄肉部と、前記薄肉部よりも前記第２方向の寸法が大きく且つ前記第２ガイド面が設けられた厚肉部とをさらに有しているコネクタの接続構造。
【請求項８】
請求項１〜７の何れかに記載のコネクタの接続構造において、
前記第２ボディの前記外周面は円筒状であり、前記第２ガイド面は前記外周面の一部の円弧面であるコネクタの接続構造。
【請求項９】
請求項１〜７の何れかに記載のコネクタの接続構造において、
前記第２ボディの前記外周面は五角筒以上の多角筒状であり、前記第２ガイド面は前記外周面の一部の傾斜面であるコネクタの接続構造。
【請求項１０】
請求項１〜９の何れかに記載のコネクタの接続構造において、
前記係合アームは、少なくとも二つであって、前記第２方向で互いに対向するように配置されており、
前記第１係合部は、少なくとも二つであって、前記係合アームに各々設けられており、
前記第２面は、少なくとも二つであって、前記係合アームの前記第１面に各々接触または対向可能になっており、
前記第２ガイド面は、少なくとも二つであって、前記係合アームの前記第１ガイド面に各々対向可能になっており、対向した前記第１ガイド面および前記第２ガイド面の各々間に、前記挿入空間が区画されており、
前記第２係合部は、少なくとも二つであって、前記第１係合部に各々係合可能となるように前記第２ボディの前記外周面に各々設けられており、
前記解除用治具は、前記第１方向において略Ｕ字状または略Ｖ字状であって、前記挿入空間から前記第２ボディの前記外周面と前記係合アームとの間に各々挿入可能な二つのアームを有しているコネクタの接続構造。
【発明の詳細な説明】
【技術分野】
【０００１】
本発明は、コネクタの接続構造に関する。
【背景技術】
【０００２】
下記特許文献１には、従来の接続構造が記載されている。この接続構造は、挿脱方向に挿脱可能な第１コネクタおよび第２コネクタを備えている。第１コネクタは、第１ボディと、ロックアームと、リブと有している。ロックアームは、第１ボディの外面上に設けられた片持ち梁状であって、挿脱方向のうちの脱方向に延びており且つ第１ボディの外面に近づくように弾性変形可能である。ロックアームは、先端部と、係合突部と、テーパー面とを有している。係合突部は、先端部よりも挿脱方向の挿入方向側に間隔をあけて設けられている。テーパー面は、先端部と係合突部との間に設けられており且つ傾斜している。リブは、第１ボディの外面上のロックアームの先端部よりも脱方向側の部分から上方向に延びている。第２コネクタは、第２ボディと、係合穴とを有している。第２ボディは、第１コネクタが挿脱方向に挿脱可能な筒状である。第２ボディの内面は、挿入された第１コネクタのロックアームに接触する接触面と、ロックアームのテーパー面に間隙を有して対向する対向面とを有している。係合穴は、第２ボディの接触面の中央部に設けられており、この係合穴にロックアームの係合突部が係合可能となっている。係合穴に係合突部が係合されることにより、第１コネクタおよび第２コネクタが互いに接続された状態（装着状態）が維持されている。
【０００３】
ロックアームのテーパー面に沿って第２ボディの対向面とロックアームとの間に、治具の先端部が挿入されると、ロックアームが第２ボディの対向面から離れるように弾性変形し、係合突部と係合穴との係合が解除される。これと共に、治具の後端部の傾斜部がリブに当接し、第１コネクタを第２コネクタから離間させる。このようにして第１コネクタおよび第２コネクタの装着が解除される。
【先行技術文献】
【特許文献】
【０００４】
【特許文献１】特開２００３−３１７８６６号公報
【発明の概要】
【発明が解決しようとする課題】
【０００５】
ロックアームは、第２ボディ内に挿入され、第２ボディの内面の対向面に対向している。すなわち、上記装着状態で、ロックアームは第２ボディに隠れているため、治具をロックアームのテーパー面と第２ボディの対向面とロックアームとの間に挿入しにくく、係合突部と係合穴との係合を解除しにくい。換言すると、第１コネクタおよび第２コネクタの装着状態におけるロックの解除が困難である。
【０００６】
本発明は、上記事情に鑑みて創案されたものであって、その目的とするところは、装着状態における第１コネクタおよび第２コネクタのロックの解除を容易に行うことができるコネクタの接続構造を提供することにある。
【課題を解決するための手段】
【０００７】
上記課題を解決するために、本発明の一態様のコネクタの接続構造は、第１方向に着脱可能な第１コネクタおよび第２コネクタを備えている。第１コネクタは、係合アームおよび第１係合部を備えている。係合アームは、第１方向に延び、第１方向に直交する第２方向に弾性変形可能であり、且つ第１面と、この第１面の第３方向の一方側の第１ガイド面を有している。第３方向は、第１方向に直交し且つ第２方向に交差している。第１係合部は、係合アームに設けられており且つ係合アームの弾性変形に伴って第２方向に変位可能である。第２コネクタは、第２ボディを備えている。第２ボディは、外周面および第２係合部を有している。外周面は、第１方向に延びており、且つ第２面と、この第２面の第３方向の一方側の第２ガイド面とを有している。外周面の第２面は、係合アームの第１面が接触または対向可能である。外周面の第２ガイド面は、第１ガイド面に対向可能である。第１ガイド面および第２ガイド面は、互いに対向した状態で第３方向の他方から第３方向の一方へ互いに離れるように延び且つその間に挿入空間を区画している。第２係合部は、第１係合部に係合可能となるように第２ボディの外周面に設けられている。第１ガイド面および第２ガイド面にガイドされ、第２ボディの外周面と係合アームとの間に解除用治具が挿入されると、係合アームが弾性変形して外周面から離反し、第１係合部と第２係合部との係合が解除されるようになっている。
【０００８】
このような態様の接続構造による場合、解除用治具を挿入空間に挿入すると、解除用治具が第１ガイド面および第２ガイド面にガイドされるので、解除用治具を係合アームと第２ボディの外周面との間に容易に挿入できる。よって、第１係合部と第２係合部との係合（ロック）を容易に解除できる。
【０００９】
第１コネクタは、第１ボディを備えた構成とすることが可能である。第１ボディは、第２コネクタが第１方向に挿脱可能な筒部を有する構成とすることが可能である。筒部が係合アームを有する構成または係合アームが筒部から延びる構成とすることが可能である。
【００１０】
筒部は、第１方向に延びたガイド溝を有する構成とすることが可能である。第２コネクタの第２ボディは、ガイド突部およびガイド凹部をさらに有する構成とすることが可能である。ガイド突部は、第２ボディの外周面上の第２ガイド面よりも第３方向の他方側の部分に設けられており且つガイド溝内に第１方向にガイドされ得る構成とすることが可能である。ガイド凹部は、解除用治具が挿入空間へガイド可能となるように、ガイド突部の第２ガイド面の第３方向の他方側の部分を第３方向に貫通した構成とすることが可能である。このような態様の接続構造による場合、解除用治具がガイド凹部により挿入空間へガイドされるので、係合アームと第２ボディの外周面との間にさらに容易に挿入できる。よって、第１係合部と第２係合部との係合（ロック）の解除がさらに容易になる。
【００１１】
または、第２コネクタは、少なくとも二つのガイド突部と、ガイド凹部とをさらに備えた構成とすることが可能である。ガイド突部は、第１方向に延びており且つその間で係合アームを第１方向にガイド可能な構成とすることが可能である。ガイド突部は、係合アームの第３方向の一方側に位置可能な第１ガイド突部と、係合アームの第３方向の他方側に位置可能な第２ガイド突部とを含んでいても良い。ガイド凹部は、解除用治具が挿入空間へガイド可能となるように、第１ガイド突部の第２ガイド面の第３方向の他方側の部分を第３方向に貫通した構成とすることが可能である。このような態様の接続構造による場合、解除用治具がガイド凹部により挿入空間へガイドされるので、係合アームと第２ボディの外周面との間にさらに容易に挿入できる。よって、第１係合部と第２係合部との係合（ロック）の解除がさらに容易になる。
【００１２】
第１方向の一方は、第１コネクタの第２コネクタに対する装着方向であり、第１方向の他方は、第１コネクタの第２コネクタに対する離脱方向とすることが可能である。
【００１３】
第２コネクタは、第１係合部および第２係合部よりも第１方向の他方側で、前記第２ボディの前記外周面と前記係合アームとの間に挿入された解除用治具を保持可能な保持部をさらに備えた構成とすることが可能である。このような態様の接続構造による場合、解除用治具を係合アームと第２ボディの外周面との間に挿入し、第１係合部と第２係合部との係合を解除した状態で、保持部が解除用治具を第１係合部および第２係合部よりも第１方向の他方側で保持する。このため、保持部が解除用治具を保持した状態で、第２コネクタを第１コネクタから第１方向の他方側に離脱させることできる。
【００１４】
ガイド凹部は、第１係合部および第２係合部よりも第１方向の他方側に位置していても良い。ガイド凹部は、第１方向の一方側の第１面を有する構成とすることが可能である。保持部は、ガイド凹部の第１面と、当接部とを有する構成とすることが可能である。ガイド凹部の第１面は、当該ガイド凹部内に挿入された解除用治具に第１方向の一方側から当接可能である。当接部は、第２ボディに設けられており且つガイド凹部内に挿入された解除用治具に第１方向の他方側から当接可能である。
【００１５】
第１ボディおよび第２ボディの少なくとも一方は、ストッパをさらに備えた構成とすることが可能である。ストッパは、解除用治具に第３方向の一方側から当接し、当該解除用治具を係合アームと外周面との間に所定以上挿入されるのを防ぐ構成とすることが可能である。なお、ストッパは、上記第２ガイド突部とすることが可能である。
【００１６】
係合アームは、薄肉部と、薄肉部よりも第２方向の寸法が大きく且つ第２ガイド面が設けられた厚肉部とをさらに有する構成とすることが可能である。このような態様の接続構造による場合、係合アームの厚肉部に第２ガイド面が設けられているので、係合アームの強度低下が抑制される。
【００１７】
第２ボディの外周面は円筒状であり、第２ガイド面は外周面の一部の円弧面とすることが可能である。または、第２ボディの外周面は五角筒以上の多角筒状であり、第２ガイド面は外周面の一部の傾斜面とすることが可能である。何れの態様の接続構造による場合、第２ガイド面が第２ボディの外周面の一部を利用しているので、別途第２ガイド面を外周面に設ける必要がない。よって、第２コネクタの低コスト化を図ることができる。
【００１８】
係合アームは、少なくとも二つであって、第２方向で互いに対向するように配置された構成とすることが可能である。第１係合部は、少なくとも二つであって、係合アームに各々設けられた構成とすることが可能である。第２面は、少なくとも二つであって、係合アームの第１面に各々接触または対向可能な構成とすることが可能である。第２ガイド面は、少なくとも二つであって、係合アームの第１ガイド面に各々対向可能な構成とすることが可能である。対向した第１ガイド面および第２ガイド面の各々間に、挿入空間が区画された構成とすることが可能である。第２係合部は、少なくとも二つであって、第１係合部に各々係合可能となるように第２ボディの外周面に各々設けられた構成とすることが可能である。解除用治具は、第１方向において略Ｕ字状または略Ｖ字状であって、挿入空間から第２ボディの外周面と係合アームとの間に各々挿入可能な二つのアーム部を有する構成とすることが可能である。このような態様の接続構造による場合、解除用治具の二つのアームが、第１ガイド面および第２ガイド面に各々ガイドされ、二つの係合アームと第２ボディの外周面との間に各々同時に挿入可能となる。よって、二つの係合アームの第１係合部と第２ボディの第２係合部との係合を同時に解除できる。
【図面の簡単な説明】
【００１９】
【図１Ａ】本願の実施例１に係るコネクタの接続構造および解除用治具の概略斜視図であって、前記接続構造の第１コネクタと第２コネクタの接続状態を示す図である。
【図１Ｂ】前記接続構造および前記解除用治具の概略的斜視図であって、前記接続構造の第１コネクタと第２コネクタの離脱状態を示す図である。
【図２Ａ】前記接続構造の図１Ａ中の２Ａ−２Ａ断面図である。
【図２Ｂ】前記接続構造の図１Ｂ中の２Ａ−２Ａ分解断面図である。
【図２Ｃ】前記接続構造の図１Ａ中の２Ｃ−２Ｃ断面図である。
【図２Ｄ】前記接続構造の図１Ｂ中の２Ｃ−２Ｃ分解断面図である。
【図３Ａ】前記接続構造の図１Ａ中の３Ａ−３Ａ断面図であって、解除用治具が前記第１コネクタの係合アームと前記第２コネクタの第２ボディの外周面との間に挿入される前の状態を示す図である。
【図３Ｂ】前記コネクタの接続構造の図１Ａ中の３Ａ−３Ａ断面図であって、前記解除用治具が前記第１コネクタの係合アームと前記第２コネクタの第２ボディの外周面との間に挿入された状態を示す図である。
【図４Ａ】本願の実施例２に係るコネクタの接続構造の図３Ａに対応する断面図であって、解除用治具が第１コネクタの係合アームと第２コネクタの第２ボディの外周面との間に挿入される前の状態を示す図である。
【図４Ｂ】前記接続構造の図３Ａに対応する断面図であって、前記解除用治具が第１コネクタの係合アームと第２コネクタの第２ボディの外周面との間に挿入された状態を示す図である。
【発明を実施するための形態】
【００２０】
以下、本発明の実施例について説明する。
【実施例１】
【００２１】
以下、本発明の実施例１を含む複数の実施例に係るコネクタの接続構造Ｃ１（以下、単に接続構造Ｃ１とも称する。）について、図１Ａ〜図３Ｂを参照しつつ説明する。図１Ａ〜図３Ｂには、実施例１に係る接続構造Ｃ１が示されている。
【００２２】
接続構造Ｃ１は、Ｚ−Ｚ’方向に着脱可能な第１コネクタＣａおよび第２コネクタＣｂを備えている。第１コネクタＣａおよび第２コネクタＣｂの何れか一方が雄コネクタであり、他方が雌コネクタとすると良い。例えば、図１Ａ〜図３Ｂに示されるように、第１コネクタＣａがレセプタクルコネクタ（雌コネクタ）とし、第２コネクタＣｂがプラグコネクタ（雄コネクタ）とすることが可能である。また、第１コネクタＣａがソケットコネクタまたはジャックコネクタ（雌コネクタ）とし、第２コネクタＣｂがプラグコネクタ（雄コネクタ）とすることが可能である。こられの逆も当然可能である。
【００２３】
なお、図１Ａ、図２Ａおよび図２Ｃでは、第１コネクタＣａと第２コネクタＣｂとが装着された状態（以下、装着状態と称する。）が示されており、図１Ｂ、図２Ｂおよび図２Ｄでは、第１コネクタＣａと第２コネクタＣｂとが離脱された状態（以下、離脱状態と称する。）が示されている。図１Ａ〜図２Ｄに示されるＺ−Ｚ’方向は、接続構造Ｃ１の着脱方向であり且つ特許請求の範囲の第１方向に相当している。Ｚ−Ｚ’方向のうちのＺ方向は、前記着脱方向のうちの接続構造Ｃ１の装着方向であり且つ前記第１方向のうちの一方に相当し、Ｚ’方向は前記着脱方向のうちの接続構造Ｃ１の離脱方向であり且つ前記第１方向のうちの他方に相当している。図１Ａ〜１Ｂおよび図２Ｃ〜図３Ｄに示されるＸ−Ｘ’方向は、Ｚ−Ｚ’方向に直交しており且つ特許請求の範囲の第２方向に相当している。図１Ａ〜図３Ｂに示されるＹ−Ｙ’方向は、Ｚ−Ｚ’方向およびＸ−Ｘ’方向に直交しており且つ特許請求の範囲の第２方向に相当している。Ｙ−Ｙ’方向のうちのＹ方向は、前記第３方向の一方に相当し、Ｙ−Ｙ’方向のうちのＹ’方向は、前記第３方向の他方に相当する。
【００２４】
第２コネクタＣｂは第２ボディ１００ｂを備えている。第２ボディ１００ｂは絶縁樹脂製の筒部１０１ｂまたは収容穴を有する中実ブロックを有する構成とすることが可能である。第２ボディ１００ｂの筒部１０１ｂまたは中実ブロックは外周面１１０ｂを有している。外周面１１０ｂは、全体としてＺ−Ｚ’方向に延びる筒状であれば良い。すなわち、外周面１１０ｂは、Ｚ−Ｚ’方向に延びた円筒状（図１Ｂ〜図２Ｄ参照）であって部分的に切り欠かれていても良いし、外周面１１０ｂはＺ−Ｚ’方向に延びた完全な円筒状（切欠きのない円筒状）であっても良い。第２ボディ１００ｂの外周面１１０ｂは、少なくとも一つの第２面１１１ｂを有している。第２面１１１ｂは外周面１１０ｂの一部の凸円弧面とすることが可能であるし、外周面１１０ｂの一部がカットされた平坦面とすることも可能である。
【００２５】
第１コネクタＣａは第１ボディ１００ａを備えている。第１ボディ１００ａは絶縁樹脂で構成されている。第１ボディ１００ａは、少なくとも一つの係合アーム１１０ａを有している。係合アーム１１０ａは、第１ボディ１００ａと一体的に構成されていても良いし、第１ボディ１００ａと別体（例えば、金属板やゴム体など）で構成され、第１ボディ１００ａに固定されていても良い。係合アーム１１０ａは、Ｚ−Ｚ’方向に延びており、上記装着状態で第２ボディ１００ｂの外周面１１０ｂの第２面１１１ｂに接触または若干の間隙を有して対向する（図２Ｃ参照）。係合アーム１１０ａは、第１面１１１ａを有している。この第１面１１１ａは、外周面１１０ｂの第２面１１１ｂに接触可能なまたは外周面１１０ｂの第２面１１１ｂに若干の間隙を有して対向可能である。係合アーム１１０ａの第１面１１１ａは外周面１１０ｂの第２面１１１ｂに接触可能な凹円弧面または平坦面とすることが可能である。
【００２６】
第２ボディ１００ｂの外周面１１０ｂは少なくとも一つの第２ガイド面１１２ｂをさらに有している。第２ガイド面１１２ｂは、外周面１１０ｂの第２面１１１ｂのＹ方向側の隣の一部の凸円弧面である。換言すると、第２ガイド面１１２ｂは、外周面１１０ｂの第２面１１１ｂからＹ方向に延びた凸円弧面である。第１ボディ１００ａの少なくとも一つの係合アーム１１０ａは第１ガイド面１１２ａをさらに有している。係合アーム１１０ａの先端部の第１面１１１ａのＹ方向側の隣の一部をカットされている。第１ガイド面１１２ａは、このカットされた部分の底面であって第１面１１１ａからＹ方向に延びている。第１ガイド面１１１ａは円弧面または傾斜面とすることが可能である。第１ガイド面１１２ａおよび第２ガイド面１１２ｂは、上記装着状態で互いに対向しており、Ｙ’方向からＹ方向へ互いに離れるように延び且つその間に挿入空間αを区画している。
【００２７】
挿入空間αから第１ボディ１００ａの少なくとも一つの係合アーム１１０ａの第１面１１１ａと第２ボディ１００ｂの外周面１１０ｂの少なくとも一つの第２面１１１ｂとの間の挿入空間αに解除用治具Ｊの少なくとも一つのアームＪ１がＹ方向側から挿入可能である。アームＪ１が、挿入空間αに挿入されると、第１ガイド面１１２ａおよび第２ガイド面１１２ｂにより、第１ボディ１００ａの係合アーム１１０ａの第１面１１１ａと第２ボディ１００ｂの外周面１１０ｂの第２面１１１ｂとの間へガイドされる。アームＪ１が第１ボディ１００ａの係合アーム１１０ａの第１面１１１ａと第２ボディ１００ｂの外周面１１０ｂの第２面１１１ｂとの間に挿入されると、係合アーム１１０ａがアームＪ１に押圧され、外周面１１０ｂから離れるようにＸ−Ｘ’方向に弾性変形する。なお、アームＪ１は、前述の挿入を容易にするために、図３Ａおよび図３Ｂに示されるようにＹ’方向に先細り形状となっていても良いが、これに限定されるものではない。アームＪ１は、Ｘ−Ｘ’方向に延びた矩形状等とすることが可能である。
【００２８】
第１ボディ１００ａは少なくとも一つの第１係合部１２０ａをさらに有し、第２ボディ１００ｂは少なくとも一つの第２係合部１２０ｂをさらに有している。第１係合部１２０ａは、係合アーム１１０ａの第１面１１１ａに設けられている。第２係合部１２０ｂは、第１係合部１２０ａに係合可能となるように第２ボディ１００ｂの外周面１１０ｂの第２面１１１ｂに設けられている。第１係合部１２０ａおよび第２係合部１２０ｂの何れか一方は係合突部であり、他方は上記装着状態で係合突部に係合される係合穴とすることが可能であるが、第１係合部１２０ａおよび第２係合部１２０ｂが互いに係合可能である限り限定されるものではない。係合穴は、貫通穴および有底穴の何れであっても良い。第１係合部１２０ａおよび第２係合部１２０ｂは、第１ガイド面１１２ａおよび第２ガイド面１１２ｂに対してＺ方向側またはＺ’方向側に位置していると良い。第１係合部１２０ａが第２係合部１２０ｂに係合されることによって、第１コネクタＣａと第２コネクタＣｂとの装着状態が維持される（ロックされる）。第１係合部１２０ａは、係合アーム１１０ａの弾性変形に伴って、第２係合部１２０ｂから離れるようにＸ−Ｘ’方向に変位可能である。第１係合部１２０ａが変位することによって、第１係合部１２０ａおよび第２係合部１２０ｂの係合が解除される（ロックが解除される）。これにより、第１コネクタＣａと第２コネクタＣｂとが離脱可能な状態となり、この離脱可能な状態から第１コネクタＣａと第２コネクタＣｂとをＺ−Ｚ’方向に相対的に離間させることで、第１コネクタＣａと第２コネクタＣｂとが上記離脱状態となる。
【００２９】
なお、解除用治具Ｊの少なくとも一つのアームＪ１のＸ−Ｘ’方向の寸法は、少なくとも一つの第１係合部１２０ａおよび少なくとも一つの第２係合部１２０ｂの係合を解除できるように、少なくとも一つの係合アーム１１０ａを外周面１１０ｂから離すことができる程度の寸法であると良い。
【００３０】
なお、第１係合部１２０ａが係合穴である場合、第１ボディ１００ａの少なくとも一つの係合アーム１１０ａは、薄肉部１１３ａと、厚肉部１１４ａとさらに有する構成とすることが可能である。厚肉部１１４ａは係合アーム１１０ａの先端部に設けられ、薄肉部１１３ａが係合アーム１１０ａの基端部に設けられている。厚肉部１１４ａのＸ−Ｘ’方向の寸法は、薄肉部１１３ａのＸ−Ｘ’方向の寸法よりも大きい。厚肉部１１４ａに係合穴である第１係合部１２０ａおよび／または第２ガイド面１１２ｂが設けられていると良い。このように係合アーム１１０ａの厚肉部１１４ａに係合穴および／または第２ガイド面１１２ｂが設けられているので、係合穴および／または第２ガイド面１１２ｂが設けられることによる係合アーム１１０ａの強度低下を抑制することができる。なお、係合アーム１１０ａのＸ−Ｘ’方向の寸法は、任意に設定可能であり、一定であっても良い。また、厚肉部１１４ａは係合アーム１１０ａの基端部に設けられ、薄肉部１１３ａが係合アーム１１０ａの先端部に設けられても良い。
【００３１】
第１ボディ１００ａの少なくとも一つの係合アーム１１０ａは複数とすることが可能である。複数の係合アーム１１０ａは、図１Ｂおよび図３Ｂに示されるように、Ｘ−Ｘ’方向において互いに対向する二つの係合アーム１１０ａを少なくとも一組含んでいると良い。この場合、第２ボディ１００ｂの外周面１１０ｂは、係合アーム１１０ａの数に応じた数の第２面１１１ｂおよび第２ガイド面１１２ｂを有している。外周面１１０ｂの第２面は、上記装着状態で係合アーム１１０ａの第１面１１１ａに各々接触または若干の間隙を有して対向すると良い。外周面１１０ｂの第２ガイド面１１２ｂは、上記装着状態で係合アーム１１０ａの第１ガイド面１１２ａに各々挿入空間αを有して対向すると良い。少なくとも一つの第１係合部１２０ａは複数とすることが可能であり、複数の係合アーム１１０ａに各々設けられていると良い。少なくとも一つの第２係合部１２０ｂも複数とすることが可能であり、第２ボディ１００ｂの外周面１１０ｂに複数の第１係合部１２０ａと各々係合可能となるように設けられていると良い。
【００３２】
係合アーム１１０ａが少なくとも二つであり、第２ボディ１００ｂの外周面１１０ｂの第２面１１１ｂおよび第２ガイド面１１２ｂが少なくとも二つである場合、解除用治具Ｊは、Ｚ−Ｚ’方向から見て略Ｕ字状または略Ｖ字状とすることが可能である。この解除用治具Ｊは、樹脂や金属板で構成可能である。解除用治具Ｊは、Ｙ−Ｙ’方向に延びる二つのアームＪ１を有している。二つのアームＪ１の各々が、係合アーム１１０ａの第１ガイド面１１２ａと第２ボディ１００ｂの第２ガイド面１１２ｂとの間の挿入空間αから係合アーム１１０ａと第２ボディ１００ｂの外周面１１０ｂの第２面１１１ｂとの間へ同時に挿入可能である。アームＪ１の同時挿入により、少なくとも二つの係合アーム１１０ａの第１係合部１２０ａが、少なくとも二つの第２係合部１２０ｂから離反し、両者の係合が同時に解除される。解除用治具Ｊの二つのアームＪ１の間のＸ−Ｘ’方向の寸法は、第２ボディ１００ｂの外周面１１０ｂの第２面１１１ｂの間のＸ−Ｘ’方向の寸法と略同じであっても良いし、若干小さくても良い。後者の場合、アームＪ１が係合アーム１１０ａと第２ボディ１００ｂの外周面１１０ｂの第２面１１１ｂとの間に挿入されると、アームＪ１が、その間のＸ−Ｘ’方向の寸法が広がるように弾性変形するので、二つの係合アーム１１０ａをより弾性変形させやすくなる。なお、図１Ａ〜図１Ｂおよび図３Ａ〜図３Ｂでは、解除用治具Ｊは金属板で構成されている。解除用治具ＪのアームＪ１間の中間部は、その板厚がＹ−Ｙ’方向に向いているのに対して、アームＪ１は、その板厚がＺ−Ｚ’方向に向いている。
【００３３】
第１コネクタＣａの第１ボディ１００ａは、筒部１０１ａまたは図示しない開口を有するケースをさらに有する構成とすることが可能である。この場合、以下のａ）〜ｃ）のとおりとすることが可能である。ａ）少なくとも一つの係合アーム１１０ａは、筒部１０１ａ（図１Ａ〜図３Ｂ参照）またはケースの一部をカットして作成することが可能である。この場合、第２コネクタＣｂがＺ−Ｚ’方向において筒部１０１ａまたはケース内に挿脱可能な構成とすることが可能である。ｂ）一つの係合アーム１１０ａが筒部１０１ａまたはケースからＺ−Ｚ’方向に延びた構成とすることが可能である。この場合、第２コネクタＣｂがＺ−Ｚ’方向において筒部１０１ａまたはケース内に挿脱可能な構成とすることが可能である。ｃ）複数の係合アーム１１０ａが筒部１０１ａまたはケースからＺ−Ｚ’方向に延びた構成とすることが可能である。この場合、ｃ−１）第２コネクタＣｂがＺ−Ｚ’方向において複数の係合アーム１１０ａ間に挿脱可能な構成、またはｃ−２）第２コネクタＣｂがＺ−Ｚ’方向において複数の係合アーム１１０ａ間、および筒部１０１ａまたはケース内に挿脱可能な構成とすることが可能である。
【００３４】
ｄ）第１コネクタＣａの第１ボディ１００ａは、筒部１０１ａまたはケースに代えて、中実ブロックをさらに有する構成とすることが可能である。この場合、複数の係合アーム１１０ａが中実ブロックからＺ−Ｚ’方向に延びた構成とすることが可能である。第２コネクタＣｂがＺ−Ｚ’方向において複数の係合アーム１１０ａ間に挿脱可能な構成とすることが可能である。
【００３５】
上記ａ）の場合、筒部１０１ａまたはケースは、少なくとも一つの係合アーム１１０ａに加えて、少なくとも一つのガイド溝１３０ａを有する構成とすることが可能である。ガイド溝１３０ａは、筒部１０１ａの内面に設けられており且つＺ−Ｚ’方向に延びている。第２コネクタＣｂの第２ボディ１００ｂは、少なくとも一つのガイド突部１３０ｂおよび少なくとも一つのガイド凹部１４０ｂをさらに有する構成とすることが可能である。少なくとも一つのガイド突部１３０ｂは、第２ボディ１００ｂの外周面１１０ｂ上の第２ガイド面１１２ｂよりもＹ方向側の部分に設けられており且つ少なくとも一つのガイド溝１３０ａ内にＺ−Ｚ’方向に移動自在にガイドされ得るようになっていると良い。少なくとも一つのガイド突部１３０ｂは、Ｚ−Ｚ’方向に延びた突脈であっても良いし、突起であっても良い。少なくとも一つのガイド凹部１４０ｂは、解除用治具ＪのアームＪ１が挿入空間αへガイド可能となるように、少なくとも一つのガイド突部１３０ｂの第２ガイド面１１２ｂのＹ方向側の部分をＹ−Ｙ’方向に貫通していると良い。筒部１０１ａまたはケースの少なくとも一つのガイド凹部１４０ｂのＹ方向側の部分が切り欠かれていても良い。
【００３６】
少なくとも一つのガイド溝１３０ａは少なくとも二つとすることが可能である。二つのガイド溝１３０ａは、上記装着状態で係合アーム１１０ａのＹ−Ｙ’方向の両隣に位置するように筒部１０１ａまたはケースに設けられている。この場合、少なくとも一つのガイド突部１３０ｂは少なくとも二つであり、Ｙ−Ｙ’方向に間隔をあけて隣り合っている。隣り合う二つのガイド突部１３０ｂは、第１ガイド突部１３０ｂと第２ガイド突部１３０ｂとを含む。第１ガイド突部１３０ｂは、上記装着状態で係合アーム１１０ａのＹ方向の隣に位置し、第２ガイド突部１３０ｂは、上記装着状態で係合アーム１１０ａのＹ’方向の隣に位置する。第１ガイド突部１３０ｂにガイド凹部１４０ｂが設けられている。この二つのガイド突部１３０ｂは、二つのガイド溝１３０ａ内に各々Ｚ−Ｚ’方向に移動自在にガイドされ得ると共に、二つのガイド突部１３０ｂの間で係合アーム１１０ａがＺ−Ｚ’方向に移動自在にガイド可能となっている。
【００３７】
図１Ａ〜図３Ｂでは、係合アーム１１０ａが二つであり、第１コネクタＣａの第１ボディ１００ａの筒部１０１ａには、五つのガイド溝１３０ａが設けられている。ガイド溝１３０ａのうちの二つが上記装着状態で係合アーム１１０ａのうちの一方の係合アーム１１０ａのＹ−Ｙ’方向の両隣に位置するように筒部１０１ａに設けられ、別の二つが上記装着状態で係合アーム１１０ａの他方の係合アーム１１０ａのＹ−Ｙ’方向の両隣に位置するように筒部１０１ａに設けられている。ガイド突部１３０ｂは五つである。ガイド突部１３０ｂのうちの二つは、上記二つのガイド溝１３０ａ内に各々Ｚ−Ｚ’方向に移動自在にガイドされ得ると共に、当該二つのガイド突部１３０ｂの間で一方の係合アーム１１０ａがＺ−Ｚ’方向に移動自在にガイド可能である。ガイド突部１３０ｂのうちの別の二つは、上記別の二つのガイド溝１３０ａ内に各々Ｚ−Ｚ’方向に移動自在にガイドされ得ると共に、当該二つのガイド突部１３０ｂの間で他方の係合アーム１１０ａがＺ−Ｚ’方向に移動自在にガイド可能である。残りのガイド突部１３０ｂは残りのガイド突部１３０ｂに各々Ｚ−Ｚ’方向移動可能にガイドされ得る。
【００３８】
上記ｂ）、ｃ）またはｄ）の場合、第２コネクタＣｂの第２ボディ１００ｂは、複数のガイド突部１３０ｂと、少なくとも一つのガイド凹部１４０ｂとをさらに有する構成とすることが可能である。複数のガイド突部１３０ｂは、Ｚ−Ｚ’方向に延びた突脈であり、互いに間隔をあけて配置されている。複数のガイド突部１３０ｂのうちのＹ−Ｙ’方向で隣り合う二つのガイド突部１３０ｂの間で少なくとも一つの係合アーム１１０ａがＺ−Ｚ’方向に移動自在にガイド可能である。隣り合う二つのガイド突部１３０ｂは、第１ガイド突部１３０ｂと第２ガイド突部１３０ｂとを含む。第１ガイド突部１３０ｂは、上記装着状態で係合アーム１１０ａのＹ方向の隣に位置し、第２ガイド突部１３０ｂは、上記装着状態で係合アーム１１０ａのＹ’方向の隣に位置する。少なくとも一つのガイド凹部１４０ｂは、解除用治具ＪのアームＪ１が挿入空間αへガイド可能となるように、第１ガイド突部１３０ｂの第２ガイド面１１２ｂのＹ方向側の部分を各々Ｙ−Ｙ’方向に貫通している。ガイド凹部１４０ｂは、上記装着状態で挿入空間αのＹ方向側に位置している。
【００３９】
なお、少なくとも一つのガイド凹部１４０ｂは、少なくとも一つの第１係合部１２０ａおよび少なくとも一つの第２係合部１２０ｂに対してＺ方向側に位置していると良い。この場合、少なくとも一つの第１ガイド面１１２ａおよび少なくとも一つの第２ガイド面１１２ｂも、少なくとも一つの第１係合部１２０ａおよび少なくとも一つの第２係合部１２０ｂに対してＺ方向側に位置していると良い。ガイド凹部１４０ｂは、Ｚ方向側の第１面１４１ｂと、Ｚ’方向側の第２面１４２ｂとを有していると良い。なお、ガイド突部１３０ｂおよびガイド凹部１４０ｂは省略可能である。ガイド溝１３０ａも省略可能である。
【００４０】
第２コネクタＣｂは、少なくとも一つの保持部１５０ｂをさらに備えた構成とすることが可能である。保持部１５０ｂは、第１係合部１２０ａおよび第２係合部１２０ｂよりもＺ’方向側で、係合アーム１１０ａの第１面１１１ａと第２ボディ１００ｂの外周面１１０ｂの第２面１１１ｂとの間に挿入された解除用治具ＪのアームＪ１を保持可能である。保持部１５０ｂは、例えば、下記１）〜３）の何れかの構成を有する構成とすることが可能である。１）保持部１５０ｂは、ガイド凹部１４０ｂの第１面１４１ｂと、ガイド凹部１４０ｂの第２面１４２ｂ（当接部）とを有する構成とすることが可能である。この場合、ガイド凹部１４０ｂ内に挿入された解除用治具ＪのアームＪ１に第１面１４１ｂがＺ方向側から当接し、第２面１４２ｂがＺ’方向側から当接することによって、解除用治具ＪのアームＪ１が保持される。２）保持部１５０ｂは、ガイド凹部１４０ｂの第１面１４１ｂと、第２ボディ１００ｂの当接部１５１ｂを有する構成とすることが可能である。当接部１５１ｂは、第２ボディ１００ｂに設けられており且つガイド凹部１４０ｂの第１面１４１ｂよりもＺ’方向側に設けられたフランジの少なくとも一部である。図１〜図３Ｂでは、第２ボディ１００ｂの外周面１１０ｂからリング状のフランジ１０２ｂが延びており、このフランジ１０２ｂの第２係合部１２０ｂに対向する部分が、当接部１５１ｂとなっている。この場合、ガイド凹部１４０ｂ内に挿入された解除用治具ＪのアームＪ１に、第１面１４１ｂがＺ方向側から当接し、当接部１５１ｂがＺ’方向側から当接することによって、解除用治具ＪのアームＪ１が保持される。３）保持部１５０ｂは、第２係合部１２０ｂと、ガイド凹部１４０ｂの第２面１４２ｂまたは当接部１５１ｂとを有する構成とすることが可能である。この場合、ガイド凹部１４０ｂ内に挿入された解除用治具ＪのアームＪ１に第２係合部１２０ｂがＺ方向側から当接し、第２面１４２ｂまたは当接部１５１ｂがＺ’方向側から当接することによって、解除用治具ＪのアームＪ１が保持される。上記１〜３）は任意に組み合わせ可能である。なお、保持部１５０ｂは、解除用治具ＪのアームＪ１の数に合わせて複数とすることが可能である。また、保持部１５０ｂは省略可能である。
【００４１】
第１コネクタＣａおよび第２コネクタＣｂの少なくとも一方は、少なくとも一つのストッパ１６０ｂをさらに備えた構成とすることが可能である。ストッパ１６０ｂは、解除用治具ＪにＹ’方向側から当接し、解除用治具Ｊを少なくとも一つの係合アーム１１０ａと第２ボディ１００ｂの外周面１１０ｂとの間に所定以上挿入されるのを防ぐ構成となっている。少なくとも一つのストッパ１６０ｂは、例えば、少なくとも一つの係合アーム１１０ａと第２ボディ１００ｂの外周面１１０ｂの少なくとも一つの第２面１１１ｂとの間に挿入された解除用治具ＪのアームＪ１にＹ’方向側から当接するように、第２ボディ１００ｂの外周面１１０ｂおよび係合アーム１１０ａの少なくとも一方に設けられた突起または突脈である。図１Ａ〜図３Ｂでは、ストッパ１６０ｂは、第２ボディ１００ｂの外周面１１０ｂに設けられた第２ガイド突部１３０ｂを兼ねている。
【００４２】
なお、ストッパ１６０ｂは省略可能である。この場合、解除用治具Ｊの少なくとも一つのアームＪ１は、Ｙ方向側からだけでなく、Ｙ’方向側からも、少なくとも一つの係合アーム１１０ａと第２ボディ１００ｂの外周面１１０ｂの少なくとも一つの第２面１１１ｂとの間に挿入可能な構成とすることが可能である。この場合、少なくとも一つの係合アーム１１０ａの第１面１１１ａのＹ’方向側（例えば、第１面１１１ａのＹ’方向側の隣）に、図示しない第３ガイド面が設けられていても良く、第２ボディ１００ｂの外周面１１０ｂの少なくとも一つの第２面１１１ｂのＹ’方向側（第２面１１１ｂのＹ’方向側の隣）に、図示しない第４ガイド面が設けられていても良い。第３ガイド面および第４ガイド面は、Ｙ方向からＹ’方向へ互いに離れるように延びていると良い。第３ガイド面および第４ガイド面が、その間にＹ’方向から挿入される少なくとも一つのアームＪ１を少なくとも一つの係合アーム１１０ａと第２ボディ１００ｂの外周面１１０ｂの少なくとも一つの第２面１１１ｂとの間へガイドするようになっていると良い。
【００４３】
第１コネクタＣａは、少なくとも一つの端子２００ａをさらに備えている。端子２００ａは、第１ボディ１００ａの筒部１０１ａ又はケース内で、一または複数の部材によって保持される構成、または第１ボディ１００ａの筒部１０１ａ、ケースまたは中実ブロックに直接保持される構成とすることが可能である。端子２００ａのＺ’方向の端部が第１ボディ１００ａから突出または露出している。
【００４４】
第２コネクタＣｂは、少なくとも一つの端子２００ｂをさらに備えている。端子２００ｂは、第２ボディ１００ｂの筒部１０１ｂ内で、一または複数の部材によって保持される構成、または第２ボディ１００ｂの筒部１０１ｂまたは中実ブロックに直接保持される構成とすることが可能である。端子２００ｂのＺ方向の端部が第２ボディ１００ｂから突出または露出している。端子２００ａのＺ’方向の端部と端子２００ｂのＺ方向の端部とが上記装着状態で接続可能である。このようにして第１コネクタＣａと第２コネクタＣｂとが接続される。
【００４５】
図１Ａ〜図３Ｄでは、第１コネクタＣａは、ホルダ３００ａ、シェル４００ａ、シール５１０ａ、５２０ａ、５３０ａと、グランド接続部６００ａと、カバー７００ａとをさらに備えている。ホルダ３００ａおよびシール５１０ａは、Ｚ−Ｚ’方向に積層されており且つ互いに面接触している。端子２００ａは複数であって、ホルダ３００ａおよびシール５１０ａをＺ−Ｚ’方向に貫通するようにＺ−Ｚ’方向に延びており、且つホルダ３００ａに保持されている。シェル４００ａは、Ｚ方向側の大径筒と、Ｚ’方向側の小径筒と、両筒を接続するリング上の接続部と、この接続部からＺ’方向に延びた支持部とを有している。シェル４００ａの大径筒内にホルダ３００ａおよびシール５１０ａが収容保持されている。第１ボディ１００ａは、筒部１０１ａと、Ｚ方向側が開放されたボックス１０２ａとを有しており、筒部１０１ａがボックス１０２ａからＺ’方向に延びている。この第１ボディ１００ａの筒部１０１ａおよびボックス１０２ａ内に端子２００ａ、ホルダ３００ａ、シール５１０ａおよびシェル４００ａが収容されている。筒状のシール５２０ａは筒部１０１ａ内に内嵌している。シール５２０ａのＺ方向の端部がシェル４００ａの支持部と筒部１０１ａとの間に圧縮状態で介在している。シール５２０ａの残りの部分と、シェル４００ａの小径筒との間に筒状の空間が生じている。筒状のシール５３０ａは、シェル４００ａの大径筒とボックス１０２ａ内に設けられ且つＺ−Ｚ’方向に延びた筒部１０３ａとの間に圧縮状態で介在している。カバー７００ａは、ボックス１０２ａをＺ方向側から閉塞している。グランド接続部６００ａは、筒部１０３ａとカバー７００ａとの間に挟持されるリングと、リングからＺ方向に延び且つ筒部１０３ａに保持される複数の接続部と、リングからＺ方向に延び且つカバー７００ａとシェル４００ａの大径筒との間から突出する複数の端子とを有している。
【００４６】
図１Ａ〜図３Ｄでは、第２コネクタＣｂは、第１ホルダ３００ｂ、シェル４００ｂ、第２ホルダ５００ｂと、ケーブル保持部６００ｂと、カバー７００ｂと、ケーブル８００ｂとをさらに備えている。端子２００ｂは複数であって、Ｚ−Ｚ’方向に延びている。第１ホルダ３００ｂは複数の端子２００ｂを各々収容保持する複数の収容孔を有しており、端子２００ｂのＺ方向の端部が第１ホルダ３００ｂの収容孔内でＺ方向に各々露出している。シェル４００ｂは、第１ホルダ３００ｂを部分的に収容した筒状のシェル本体と、このシェル本体からＺ方向に延びており且つ第１ホルダ３００ａとの間に間隙を有して対向した複数のアームとを有している。このシェル４００ｂのアームと第１ホルダ３００ａとの間に、第１コネクタＣａのシェル４００ａの小径筒がＺ−Ｚ’方向に挿脱可能であると共に、第１ホルダ３００ｂの収容孔内に第１コネクタＣａの端子２００ａのＺ’方向の端部が各々挿入され、収容孔内の端子２００ｂのＺ方向の端部に各々接触可能である。第２ホルダ５００ｂ内に第１ホルダ３００ｂおよびシェル４００ｂが保持されている。第２ボディ１００ｂ内に、端子２００ｂ、第１ホルダ３００ｂ、シェル４００ｂおよび第２ホルダ５００ｂが収容保持されている。第２ボディ１００ｂは、筒部１０１ｂと、リング状のフランジ１０２ｂと、保持部１０３ｂとを有している。筒部１０１ｂは、大径部と小径部とを有している。第２ボディ１００ｂの外周面１１０ｂは、筒部１０１ｂの大径部の外周面である。筒部１０１ｂの小径部は、第１コネクタＣ１ａのシール５２０ａとシェル４００ａの小径筒との間に挿脱可能である。フランジ１０２ｂは、筒部１０１ｂの外周面１１０ｂのＺ’方向の端部から延びている。保持部１０３ｂは、フランジ１０２ｂのＺ’方向の端面上に設けられている。ケーブル８００ｂは、長手方向の第１端部を有している。ケーブル保持部６００ｂは、図１〜図２Ｂに示されるように、ケーブル８００ｂの略Ｌ字状に折り曲げられた第１端部を保持する構成とすることが可能である。この場合、ケーブル８００ｂは、ケーブル保持部６００ｂからＹ’方向に引き出されていると良い。または、ケーブル保持部６００ｂは、ケーブル８００ｂのＺ−Ｚ’方向に直線状に延びる第１端部を保持する構成とすることが可能である。この場合、ケーブル８００ｂは、ケーブル保持部６００ｂからＺ’方向に引き出されていると良い。ケーブル保持部６００ｂは、カバー７００ｂ内に収容保持されている。第２ボディ１００ｂの保持部１０３ｂがケーブル保持部６００ｂおよびカバー７００ｂを保持している。ケーブル８００ｂ内の複数の接続線が第２ボディ１００ｂ内で端子２００ａに各々接続されている。
【００４７】
以下、図１Ａ〜図３Ｂに示される第１コネクタＣａと第２コネクタＣｂとを装着させる方法について詳しく説明する。
【００４８】
第１コネクタＣａと第２コネクタＣｂとをＺ−Ｚ’方向において相対的に接近させる。第２コネクタＣｂの複数のガイド突部１３０ｂを第１コネクタＣａの筒部１０１ａの複数のガイド溝１３０ａに各々挿入する。これと共に、第２コネクタＣｂの第２ボディ１００ｂの筒部１０１ｂが第１コネクタＣａの第１ボディ１００ａの筒部１０１ａ内に挿入される。すると、ガイド突部１３０ｂがガイド溝１３０ａに各々ガイドされると共に、第１ボディ１００ａの二つの係合アーム１１０ａの先端が二つの第２係合部１２０ｂに各々当接し、二つの係合アーム１１０ａが外周面１１０ｂから離れるように各々弾性変形する。二つの係合アーム１１０ａの第１係合部１２０ａ内に二つの第２係合部１２０ｂが各々係合されると、二つの係合アーム１１０ａが各々復元する。これにより、二つの係合アーム１１０ａの第１面１１１ａが第２ボディ１００ｂの外周面１１０ｂの第２面１１１ｂに各々接触または若干の間隙を有して対向し、当該係合アーム１１０ａの第１ガイド面１１２ａが第２ボディ１００ｂの外周面１１０ｂの二つの第２ガイド面１１２ｂに各々対向し、第１ガイド面１１２ａと第２ガイド面１１２ｂとの間に挿入空間αが各々区画される。第２コネクタＣｂの二つのガイド凹部１４０ｂが挿入空間αのＹ方向側に各々位置する。以上のように第１コネクタＣａと第２コネクタＣｂとが装着される。この装着状態において、第１コネクタＣａの端子２００ａと第２コネクタＣｂの端子２００ｂとが各々接触し、第１コネクタＣａと第２コネクタＣｂとが接続される。
【００４９】
以上のとおりに接続された第１コネクタＣａと第２コネクタＣｂとを離脱させる方法について詳しく説明する。略Ｕ字状の解除用治具Ｊを用意する。その後、解除用治具Ｊの二つのアームＪ１を第２コネクタＣｂのガイド凹部１４０ｂから挿入空間αに各々挿入する。すると、アームＪ１が第１コネクタＣａの係合アーム１１０ａの第１ガイド面１１２ａと第２コネクタＣｂの第２ボディ１００ｂの外周面１１０ｂの第２ガイド面１１２ｂに各々ガイドされ、係合アーム１１０ａの第１面１１１ａと外周面１１０ｂの第２面１１１ｂとの間に各々挿入される。これにより、アームＪ１が係合アーム１１０ａを各々押圧し、係合アーム１１０ａを外周面１１０ｂから各々離れるように弾性変形させる。この係合アーム１１０ａの弾性変形によって、係合アーム１１０ａの第１係合部１２０ａが外周面１１０ｂの第２係合部１２０ｂから各々離反するように変位し、第１係合部１２０ａと第２係合部１２０ｂとの係合が各々解除される。このようにして第１コネクタＣａと第２コネクタＣｂとが離脱可能な状態となる。この離脱可能な状態から第１コネクタＣａと第２コネクタＣｂとをＺ−Ｚ’方向に相対的に離間させることで、第１コネクタＣａが第２コネクタＣｂから離脱する。このとき、第１コネクタＣａの端子２００ａと第２コネクタＣｂの端子２００ｂとが各々非接触となり、第１コネクタＣａと第２コネクタＣｂとの接続が解除される。
【００５０】
上記のとおり解除用治具ＪのアームＪ１が係合アーム１１０ａの第１面１１１ａと外周面１１０ｂの第２面１１１ｂとの間に各々挿入されたとき、アームＪ１はストッパ１６０ｂ（第２ガイド突部１３０ｂ）に各々当接し、それ以上のＹ’方向への移動が阻止される。これと共に、アームＪ１は、第２コネクタＣｂの保持部１５０ｂに各々保持される。例えば、アームＪ１は、第２コネクタＣｂのガイド凹部１４０ｂの第１面１４１ｂにＺ方向側から当接されると共に、第２コネクタＣｂの当接部１５１ｂにＺ’方向側から当接される。第１コネクタＣａと第２コネクタＣｂとが離脱するとき、アームＪ１は保持部１５０ｂに各々保持されたまま、第２コネクタＣｂと共にＺ’方向に移動する。なお、解除用治具ＪのアームＪ１が係合アーム１１０ａと第２ボディ１００ｂの外周面１１０ｂの第２面１１１ｂとの間に各々挿入された状態で、解除用治具Ｊの中間部が第２ボディ１００ｂのフランジ１０２ｂに沿う。解除用治具Ｊの中間部の板厚は、Ｙ−Ｙ’方向に向いているので、解除用治具Ｊの中間部が邪魔になりにくい。
【００５１】
以上のような接続構造Ｃ１は、以下の技術的特徴および効果を奏する。第１に、第１コネクタＣａの少なくとも一つの係合アーム１１０ａの第１係合部１２０ａと、第２コネクタＣｂの第２ボディ１００ｂの外周面１１０ｂの少なくとも一つの第２係合部１２０ｂとの係合（ロック）を容易に解除することができる。その理由は以下の通りである。１）少なくとも一つの係合アーム１１０ａの第１ガイド面１１２ａおよび第２ボディ１００ｂの外周面１１０ｂの少なくとも一つの第２ガイド面１１２ｂは、Ｙ方向からＹ’方向へ互いに離れるように延びているため、第１ガイド面１１２ａおよび第２ガイド面１１２ｂの間に解除用治具ＪのアームＪ１を挿入すると、第１ガイド面１１２ａおよび第２ガイド面１１２ｂがアームＪ１を係合アーム１１０ａの第１面１１１ａと第２ボディ１００ｂの外周面１１０ｂの第２面１１１ｂとの間にガイドする。このため、解除用治具ＪのアームＪ１を係合アーム１１０ａの第１面１１１ａと第２ボディ１００ｂの外周面１１０ｂの第２面１１１ｂとの間に容易に挿入できる。２）第２ボディ１００ｂの少なくとも一つのガイド突部１３０ｂにガイド凹部１４０ｂが設けられている場合、解除用治具ＪのアームＪ１をガイド凹部１４０ｂにガイドさせることにより、第１ガイド面１１２ａおよび第２ガイド面１１２ｂの間に容易に挿入させることができる。３）第２コネクタＣｂが保持部１５０ｂを備えている場合、解除用治具ＪのアームＪ１が少なくとも一つの係合アーム１１０ａと第２ボディ１００ｂの外周面１１０ｂとの間に挿入され、当該係合アーム１１０ａの第１係合部１２０ａおよび第２ボディ１００ｂの外周面１１０ｂの少なくとも一つの第２係合部１２０ｂとの係合を解除した状態で、アームＪ１が第１係合部１２０ａおよび第２係合部１２０ｂよりもＺ’方向側で保持部１５０ｂに保持される。よって、保持部１５０ｂに解除用治具ＪのアームＪ１を保持させたまま、第２コネクタＣｂと第１コネクタＣａからＺ’方向に離脱させることができる。４）係合アーム１１０ａが二つであり、第２コネクタＣｂの第２ボディ１００ｂの外周面１１０ｂの第２面１１１ｂが二つであり、且つ外周面１１０ｂの第２ガイド面１１２ｂが二つである場合、略Ｕ字状または略Ｖ字状の解除用治具Ｊの二つのアームＪ１を、二つの係合アーム１１０ａの第１ガイド面１１２ａと外周面１１０ｂの二つの第２ガイド面１１２ｂとに各々ガイドさせ、二つの係合アーム１１０ａの第１面１１１ａと外周面１１０ｂの第２面１１１ｂとの間に各々同時に挿入し、二つの係合アーム１１０ａの第１係合部１２０ａと外周面１１０ｂの二つの第２係合部１２０ｂとの係合を各々略同時に解除することができる。
【００５２】
第２に、第２コネクタＣｂの少なくとも一つの第２ガイド面１１２ｂは、第２ボディ１００ｂの外周面１１０ｂの一部（円弧面）をそのまま利用しているため、第２ガイド面１１２ｂを別途第２ボディ１００ｂの外周面１１０ｂに形成する場合に比べて、第２コネクタＣｂの製造コストを低下させることができる。
【００５３】
第３に、第１コネクタＣａの少なくとも一つの係合アーム１１０ａおよび第２コネクタＣｂの第２ボディ１００ｂの外周面１１０ｂの何れか一方にストッパ１６０ｂが設けられている場合、ストッパ１６０ｂが解除用治具ＪにＹ’方向側から当接することによって、解除用治具ＪのアームＪ１が少なくとも一つの係合アーム１１０ａと第２ボディ１００ｂの外周面１１０ｂとの間に、所定以上挿入されるのを防ぐことができる。
【実施例２】
【００５４】
以下、本発明の実施例２を含む複数の実施例に係るコネクタの接続構造Ｃ２（以下、単に接続構造Ｃ２とも称する。）について、図４Ａおよび図４Ｂを参照しつつ説明する。図４Ａおよび図４Ｂには、実施例２に係る接続構造Ｃ２が示されている。接続構造Ｃ２は、第２コネクタＣｂの第２ボディ１００ｂの外周面１１０ｂの形状および第１コネクタＣａの第１ボディ１００ａの形状が接続構造Ｃ１の第２コネクタＣｂの第２ボディ１００ｂの外周面１１０ｂおよび第１コネクタＣａの第１ボディ１００ａの形状と相違している以外、接続構造Ｃ１と略同じ構成である。よって、その相違点について詳しく説明し、接続構造Ｃ１と重複する説明は省略する。なお、図４Ａおよび図４Ｂにも、Ｘ−Ｘ’方向およびＹ−Ｙ’方向が示されている。Ｚ−Ｚ’方向については、図１Ａ〜図２Ｄを借りて参照する。
【００５５】
第２ボディ１００ｂの外周面１１０ｂは、Ｚ−Ｚ’方向に延びた五角筒以上の多角筒状である。図４Ａおよび図４Ｂでは、外周面１１０ｂは八角筒状とすることが可能である。外周面１１０ｂは５以上の外面を含む。外周面１１０ｂの少なくとも一つの第２面１１１ｂは、外周面１１０ｂの外面のうちの一つ又はその一部とすることが可能である。外周面１１０ｂの少なくとも一つの第２ガイド面１１２ｂは、外周面１１０ｂの外面のうちの第２面１１１ｂの第３方向の隣の別の一つ又はその一部とすることが可能である。少なくとも一つの第２ガイド面１１２ｂは、外周面１１０ｂの少なくとも一つの第２面１１１ｂから第３方向に延びており且つ当該第２面１１１ｂに対して傾斜した傾斜面である。この第３方向は、Ｚ−Ｚ’方向に直交し且つＸ−Ｘ’方向に交差している。なお、実施例２を示す図４Ａおよび図４Ｂでは、第３方向はＹ−Ｙ’方向に相当しているが、実施例２以外の実施例では、Ｙ−Ｙ’方向が第３方向に相当するとは限らないことに留意されたい。
【００５６】
第１コネクタＣａの第１ボディ１００ａが筒部１０１ａを有する場合、筒部１０１ａの形状は、第２ボディ１００ｂの外周面１１０ｂの形状に対応した五角筒以上の多角筒状とすることが可能である。第１コネクタＣａの第１ボディ１００ａが開口を有するケースまたは中実ブロックを有する場合、ケースの外周面１１０ｂが上記のとおりであると良い。第１ボディ１００ａは、上記ａ）〜ｄ）の何れかの構成とすることが可能である。
【００５７】
第１コネクタＣａの少なくとも一つの係合アーム１１０ａの第１面１１１ａは、上記装着状態で外周面１１０ｂの第２面１１１ｂに接触可能または若干の間隙を有して対向可能な平坦面とすることが可能である。第１コネクタＣａの少なくとも一つの係合アーム１１０ａの第１ガイド面１１２ａは、上記装着状態で外周面１１０ｂの少なくとも一つの第２ガイド面１１２ｂに対向可能な円弧面または傾斜面とすることが可能である。第１ガイド面１１２ａおよび第２ガイド面１１２ｂは、上記装着状態で、互いに対向しており、第３方向の他方から第３方向の一方へ互いに離れるように延び且つその間に挿入空間αを区画している。なお、図４Ａおよび図４Ｂでは、第３方向の一方はＹ方向、第３方向の他方はＹ’方向に相当している。
【００５８】
挿入空間αから第１ボディ１００ａの少なくとも一つの係合アーム１１０ａの第１面１１１ａと第２ボディ１００ｂの外周面１１０ｂの少なくとも一つの第２面１１１ｂとの間に解除用治具Ｊの少なくとも一つのアームＪ１が挿入可能である。アームＪ１が、挿入空間αに挿入されると、第１ガイド面１１２ａおよび第２ガイド面１１２ｂにより、第１ボディ１００ａの係合アーム１１０ａの第１面１１１ａと第２ボディ１００ｂの外周面１１０ｂの第２面１１１ｂとの間へガイドされる。アームＪ１が第１ボディ１００ａの係合アーム１１０ａの第１面１１１ａと第２ボディ１００ｂの外周面１１０ｂの第２面１１１ｂとの間に挿入されると、係合アーム１１０ａがアームＪ１に押圧され、外周面１１０ｂから離れるようにＸ−Ｘ’方向に弾性変形する。
【００５９】
第１ボディ１００ａの少なくとも一つの係合アーム１１０ａは複数とすることが可能である。複数の係合アーム１１０ａは、図４Ｂおよび図４Ｂに示されるように、Ｘ−Ｘ’方向において互いに対向する二つの係合アーム１１０ａを少なくとも一組含んでいると良い。この場合、第２ボディ１００ｂの外周面１１０ｂは、係合アーム１１０ａの数に応じた数の第２面１１１ｂおよび第２ガイド面１１２ｂを有している。外周面１１０ｂの第２面は、上記装着状態で係合アーム１１０ａの第１面１１１ａに各々接触または若干の間隙を有して対向すると良い。外周面１１０ｂの第２ガイド面１１２ｂは、上記装着状態で係合アーム１１０ａの第１ガイド面１１２ａに各々挿入空間αを有して対向すると良い。少なくとも一つの第１係合部１２０ａ（図１Ａ〜図２Ｄを借りて参照）は複数とすることが可能であり、複数の係合アーム１１０ａに各々設けられていると良い。少なくとも一つの第２係合部１２０ｂ（図１Ａ〜図２Ｄを借りて参照）も複数とすることが可能であり、第２ボディ１００ｂの外周面１１０ｂに複数の第１係合部１２０ａと各々係合可能となるように設けられていると良い。なお、係合アーム１１０ａが少なくとも二つであり、第２ボディ１００ｂの外周面１１０ｂの第２面１１１ｂおよび第２ガイド面１１２ｂが少なくとも二つである場合、上記した略Ｕ字状または略Ｖ字状の解除用治具Ｊを用いて第１コネクタＣ１ａと第２コネクタＣ１ｂとのロックを解除可能である。
【００６０】
以上のような接続構造Ｃ２も、接続構造Ｃ１と同様に、第１コネクタＣａと第２コネクタＣｂとを接続させ、且つ接続された第１コネクタＣａと第２コネクタＣｂとを離脱させることができる。接続構造Ｃ２は、接続構造Ｃ１の第１技術的特徴、第３技術的特徴およびこれらの効果を奏する。
【００６１】
さらに、第２コネクタＣｂの少なくとも一つの第２ガイド面１１２ｂは、第２ボディ１００ｂの外周面１１０ｂの一部（傾斜面）をそのまま利用しているため、第２ガイド面１１２ｂを別途第２ボディ１００ｂの外周面１１０ｂに形成する場合に比べて、第２コネクタＣｂの製造コストを低下させることができる。
【００６２】
なお、上記した接続構造、第１コネクタおよび第２コネクタは、上記実施例に限定されるものではなく、特許請求の範囲の記載範囲において任意に設計変更することが可能である。以下、詳しく述べる。
【００６３】
本発明の第２コネクタの第２ボディは、金属など絶縁樹脂以外の部材で構成されていても良い。この場合、本発明の第２コネクタの少なくとも一つの第２係合部も、金属など絶縁樹脂以外の部材の一部で構成されていても良い。または、本発明の第２コネクタの第２ボディが絶縁樹脂で構成され、当該第２ボディの外周面が当該第２ボディを覆う金属シェルで構成されていても良い。この場合、本発明の第２コネクタの少なくとも一つの第２係合部も、金属シェルの一部で構成されていても良いし、絶縁樹脂で構成されていても良い。
【００６４】
本発明の第２コネクタの第２ボディの形状は、上記実施例に限定されず、任意の形状とすることが可能である。本発明の第２コネクタの第２ボディの少なくとも一つの第２面は、当該第２ボディの外周面の一部であれば良く、任意の形状とすることが可能である。本発明の第２コネクタの第２ボディの第２ガイド面は、第２ボディの外周面の第２面の第３方向の一方側の一部であれば良い。なお、第３方向は、Ｚ−Ｚ’方向に直交し且つＸ−Ｘ’方向に交差していれば良い。
【００６５】
本発明の第１コネクタの少なくとも一つの係合アームの第１面は、本発明の第２ボディの外周面の第２面に接触または若干の間隙を有して対向可能であれば良い。本発明の第１コネクタの少なくとも一つの係合アームの第１ガイド面は、当該係合アームの第１面の第３方向の一方側に設けられ、本発明の第２ボディの外周面の第２ガイド面に挿入空間を有して対向可能であり、且つ第１ガイド面および第２ガイド面が互いに対向した状態で第３方向の他方から第３方向の一方へ互いに離れるように延びていれば良い。
【００６６】
本発明の第２コネクタの保持部の当接部は、解除用治具のアームにＺ方向側から当接すれば良い。当接部は、ガイド凹部よりもＹ’方向側に位置していても良い。本発明の第１コネクタおよび第２コネクタの少なくとも一つの端子は、基板上の導電ラインやケーブルの信号線などの接続部材に置換可能である。
【００６７】
なお、上記実施例の各態様および設計変形例における接続構造、第１コネクタおよび第２コネクタの各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、上記した何れかの態様の接続構造は、上記何れかの態様解除用治具をさらに備えていても良い。なお、本発明の第１方向は、本発明の第１コネクタと第２コネクタとの挿脱方向ある限り任意に設定可能である。本発明の第２方向は、第１方向に直交する限り任意に設定可能である。本発明の第３方向は、第１方向に直交し且つ第２方向に交差する限り任意に設定することができる。
【符号の説明】
【００６８】
Ｃ１、Ｃ２：接続構造
Ｃａ：第１コネクタ
１００ａ：第１ボディ
１０１ａ：筒部
１０２ａ：ボックス
１０３ａ：筒部
１１０ａ：係合アーム
１１１ａ：第１面
１１２ａ：第１ガイド面
１１３ａ：薄肉部
１１４ａ：厚肉部
１２０ａ：第１係合部
１３０ａ：ガイド溝
２００ａ：端子
３００ａ：ホルダ
４００ａ：シェル
５１０ａ：シール
５２０ａ：シール
５３０ａ：シール
６００ａ：グランド接続部
７００ａ：カバー
Ｃｂ：第２コネクタ
１００ｂ：第２ボディ
１０１ｂ：筒部
１０２ｂ：フランジ
１０３ｂ：保持部
１１０ｂ：外周面
１１１ｂ：第２面
１１２ｂ：第２ガイド面
１２０ｂ：第２係合部
１３０ｂ：ガイド突部
１４０ｂ：ガイド凹部
１４１ｂ：第１面
１４２ｂ：第２面
１５０ｂ：保持部
１５１ｂ：当接部
１６０ｂ：ストッパ
２００ｂ：端子
３００ｂ：第１ホルダ
４００ｂ：シェル
５００ｂ：第２ホルダ
６００ｂ：ケーブル保持部
７００ｂ：カバー
８００ｂ：ケーブル
α：挿入空間
Ｊ：解除用治具
Ｊ１：アーム
【図１Ａ】
2018081781.tif 000003
【図１Ｂ】
2018081781.tif 000004
【図２Ａ】
2018081781.tif 000005
【図２Ｂ】
2018081781.tif 000006
【図２Ｃ】
2018081781.tif 000007
【図２Ｄ】
2018081781.tif 000008
【図３Ａ】
2018081781.tif 000009
【図３Ｂ】
2018081781.tif 000010
【図４Ａ】
2018081781.tif 000011
【図４Ｂ】
2018081781.tif 000012